(57)【要約】      （修正有）【課題】狭い置き場所でも置くことができる携帯用テレビを提供する。【解決手段】本体と、前記本体の前面に設けられる表示部と、前記本体の後面に着脱可能に配置される蓄電池と、を有する携帯用テレビによって解決することができる。【選択図】図１
2011233957.tif 000002
【特許請求の範囲】
【請求項１】
本体と、
前記本体の前面に設けられる表示部と、
前記本体の後面に着脱可能に配置される蓄電池と、を有する携帯用テレビ。
【請求項２】
前記本体の第１の下面と、前記蓄電池の第２の下面は、ほぼ同一面上に配置されることを特徴とする請求項１記載の携帯用テレビ。
【請求項３】
前記本体の上部に、把持可能な把持部を配置したことを特徴とする請求項１または請求項２記載の携帯用テレビ。
【請求項４】
前記表示部を覆う第１の位置と、前記表示部を覆わない第２の位置とに移動可能なカバー部材を有することを特徴とする請求項１から請求項３のいずれか１項記載の携帯用テレビ。
【請求項５】
前記カバー部材は、前記把持部に回動可能に保持されることを特徴とする請求項４記載の携帯用テレビ。
【発明の詳細な説明】
【技術分野】
【０００１】
本発明は、携帯用テレビに関する。特に、電動工具において使用できる電池を使用する携帯用テレビに関する。
【背景技術】
【０００２】
携帯用テレビとして、例えば特許文献１に示されるような構造が知られていた。この携帯用テレビは、充電器の斜面部にのせた状態で使用することができるようになっている。
【先行技術文献】
【特許文献】
【０００３】
【特許文献１】特開平０９−１２１３１７
【発明の概要】
【発明が解決しようとする課題】
【０００４】
上記した特許文献１に記載の携帯用テレビでは、次のように不便なものであった。
【０００５】
携帯用テレビを充電器にのせなければならないので、広い置き場所を確保する必要があった。また、本体を把持する必要があるので、持ち運びの際に面倒であった。また、表示部（液晶モニター）が、むき出しであるので、傷つきやすいものであった。
【０００６】
本発明の目的は、狭い置き場所でも置くことができる携帯用テレビを提供することである。また、持ち運びの際に便利な携帯用テレビを提供することである。また、表示部が傷つきにくい携帯用テレビを提供することである。
【課題を解決するための手段】
【０００７】
上記した目的を解決するため、本体と、前記本体の前面に設けられる表示部と、前記本体の後面に着脱可能に配置される蓄電池と、を有する携帯用テレビとした。
【発明の効果】
【０００８】
上記した携帯用テレビによって、狭い置き場所でも置くことができる携帯用テレビを提供することができる。
【図面の簡単な説明】
【０００９】
【図１】本発明の一実施形態を示す携帯用テレビの一部断面側面図
【図２】図１の正面図
【発明を実施するための形態】
【実施例１】
【００１０】
図１、図２を用いて、本発明の一実施形態を示す携帯用テレビについて説明する。
【００１１】
図１は、本発明の一実施形態を示す携帯用テレビの一部断面側面図である。
【００１２】
図１に示すように、携帯用テレビは、本体１を有する。本体１は、樹脂によって構成されている。この本体１には、下面１Ａと、前面１Ｂと、後面１Ｃを有する。
【００１３】
下面１Ａは、地面や床、机の上などと接触可能となっている。前面１Ｂには、表示部３が露出するための略長方形の穴があいている。また、前面１Ｂには、操作ボタン９が露出するための円形の４つの穴があいている。後面１Ｃからは、後方へと突出するように端子６が設けられる。
【００１４】
本体１の内部には、上下方向に延びる回路基板４が収容されている。回路基板４は、端子６と配線によって電気的に接続されている。また、回路基板４は、表示部３と電気的に接続されている。回路基板４上には、トランジスタなどの電気素子４Ａが設けられている。電気素子４は複数あり、回路基板４の前面に設けられているものと、回路基板４の後面に設けられているものがある。
【００１５】
また、本体１の内部にはスピーカ５が収容されている。スピーカー５は、回路基板と電気的に接続されている。
【００１６】
また、本体１の内部には、上下方向に延びるように、表示部３が配置されている。なお、表示部３の前面は、前面１Ｂに設けられた略長方形の穴から露出するようになっている。
【００１７】
本体１には、図示しないアンテナが設けられており、映像信号及び音声信号を受信可能となっている。この受信された映像信号及び音声信号は、回路基板４へと供給されるようになっている。
【００１８】
本体１の後方には、蓄電池２が接続可能となっている。この蓄電池２は、携帯用電気ドライバーなどで用いることができるようになっている。蓄電池２の内部には図示していないが、リチウムイオンの電池セルが収容されている。
【００１９】
蓄電池２は、操作部２Ａによって、本体１へと取り付け、取り外しができるようになっている。この取り付け、取り外しの際には、図示しない本体１の上下方向に延びるレールをガイドとされる。
【００２０】
図１に、電池を取り付けた状態を示す。操作部２Ａを操作して、本体１に対して蓄電池２が固定されている。この固定された際には、端子６と蓄電池内部の電池セルが電気的に接続された状態となる。
【００２１】
蓄電池の下面２Ｂは、図１の状態で、ほぼ本体１の仮面１Ａと同一面となっている。このため、本体１に蓄電池２を取り付けた状態で、置く際に安定した状態とすることができる。
【００２２】
本体１の上部には、左右方向に延びるハンドル８が一体的に本体１に形成されている。ハンドル８は、本体１の右上部と、左上部とで接続されている。ハンドル８は、人が握ることができる把持部８Ａと、把持部８Ａの右下方及び左下方に設けられ、本体１と接続される連結部８Ｂとを有している。本体部１の左右方向の幅と、把持部８Ａの左右方向の幅を比較すると、把持部８Ａの左右方向の幅が小さくなっている。このことによって、人が握った際に、握った部分が大きすぎないので、持ち運びがしやすいものとなっている。また、把持部８Ａの表面には、熱可塑性エラストマー（弾性体）が固定されている。このため、握った際に作業者の握り心地がよい。
【００２３】
本体１の前面１Ｂ及び表示部３を前方から覆うことができるように、樹脂製のカバー７が設けられている。このカバー７は本体１の前面のほぼ全体を覆うように構成されている。カバー７は、ハンドル部８に回動可能に接続されている。ハンドル部８には、カバー７の回動軸７Ａが設けられている。この回動軸７Ａと、カバー７は一体的に形成されている。カバー７と回動軸７Ａは、連結部７Ｂによって連結されている。なお、連結部７Ｂは、図２に示すように、把持部８Ａを避けるように設けられている。この回動軸７Ａを回動中心として、カバー７は回動できるようになっている。
【００２４】
図１の点線部で示すように、カバー７は、前面１Ｂ及び表示部３の前面を覆わない状態へと回動できるようになっている。この回動した際には、カバー７と蓄電池２の上部２Ｃとが接触するようになっている。このため、カバー７が不安定な状態ではなく、安定して保持されるようになるので、振動などでカバー７が音を出したりすることが少なくなる。
【００２５】
図２に示すように、カバー７は、表示部３及び操作ボタン９を覆うように設けられるので、カバー７が表示部３及び操作ボタン９を覆った状態で、物が当たったりした際にも傷つくことがなくなる。このため、耐久性がある携帯用テレビとすることができる。
【００２６】
また、カバー７の下面７Ｃは、本体１の下面１Ａ及び蓄電池２の下面２Ｂよりも上方に配置されている。このため、本体１の下面１Ａ及び蓄電池２の下面２Ｂを地面や床などに置いた状態で、カバー７を回動することができるようになっている。
【００２７】
なお、電池２の下面２Ｂに熱可塑性エラストマーを配置するようにしても良い。この場合には、地面や床と蓄電池２の下面２Ｂとの間の摩擦係数が大きくなるので、地面や床に対して滑りにくい携帯用テレビとすることができる。
【００２８】
本発明の携帯用テレビの動作について説明する。
【００２９】
本体１に蓄電池２を固定する。この状態で本体１の下面１Ａ及び蓄電池２の下面２Ｂを、地面や床などに置く。その後に、カバー７を回動させて、カバー７が本体１の前面１Ｂを覆わない状態とする。その後に操作ボタン９のひとつを操作して、蓄電池２からの電力を回路基板４に供給する。チャンネル（番組、放送局）や、音量（ボリューム）を変更したい場合には、操作ボタンの他のひとつを操作すれば、チャンネルや音量を変更できる。
【符号の説明】
【００３０】
１  本体、２  蓄電池、３  表示部、４  回路基板、５  スピーカ、６  端子、
７  カバー、８  把持部、９  操作ボタン
【図１】
2011233957.tif 000003
【図２】
2011233957.tif 000004